(57)【要約】【課題】端末装置と機器との間における処理を実行する際の利便性を高めることができる処理実行システムを提供する。【解決手段】端末装置４は、宅内ネットワーク１６を介して、録画再生機器６との間で第１の処理を実行する処理部２６と、宅外ネットワーク１２を介して、現在位置情報を管理サーバ８に送信する送信部３０とを有する。管理サーバ８は、現在位置情報を受信する受信部３６と、第１の処理が実行された際に受信した現在位置情報を宅内位置情報として記憶する記憶部３８と、宅内位置情報と現在位置情報との比較に基づいて、端末装置４が録画再生機器６に近付いたか否かを判定する判定部４０と、端末装置４が録画再生機器６に近付いたと判定された際に、端末装置４に指示を通知する通知部４２とを有する。端末装置４の処理部２６は、通知された指示に基づいて、宅内ネットワーク１６を介して、録画再生機器６との間で第２の処理を実行する。【選択図】図７
2018063549.tif 000002
【特許請求の範囲】
【請求項１】
端末装置と、宅外ネットワークを介して前記端末装置と通信するサーバと、宅内ネットワークを介して前記端末装置と通信する機器と、を備える処理実行システムであって、
前記端末装置は、
前記宅内ネットワークを介して、前記機器との間で第１の処理を実行する処理部と、
前記宅外ネットワークを介して、前記端末装置の現在位置に関する現在位置情報を前記サーバに送信する送信部と、を有し、
前記サーバは、
前記端末装置から送信された前記現在位置情報を受信する受信部と、
前記第１の処理が実行された際に受信した前記現在位置情報を、宅内位置情報として記憶する第１の記憶部と、
前記宅内位置情報と、前記宅内位置情報を記憶した後に受信した前記現在位置情報との比較に基づいて、前記端末装置が前記機器に近付いたか否かを判定する判定部と、
前記端末装置が前記機器に近付いたと判定された際に、前記端末装置に指示を通知する通知部と、を有し、
前記端末装置の前記処理部は、前記サーバから通知された前記指示に基づいて、前記宅内ネットワークを介して、前記機器との間で第２の処理を実行する
処理実行システム。
【請求項２】
前記端末装置は、さらに、前記宅内ネットワークを介して、前記機器との間で前記第２の処理を実行するためのアプリケーションを記憶する第２の記憶部を有し、
前記処理部は、前記サーバから通知された前記指示に基づいて、前記アプリケーションを起動させる
請求項１に記載の処理実行システム。
【請求項３】
前記処理部は、前記第１の処理として、前記機器と前記端末装置とをペアリングさせる
請求項１又は２に記載の処理実行システム。
【請求項４】
前記処理部は、前記第２の処理として、前記機器と前記端末装置とをペアリングさせる
請求項１〜３のいずれか１項に記載の処理実行システム。
【請求項５】
前記機器は、さらに、
放送番組を録画する録画部と、
録画された前記放送番組を記憶する第３の記憶部と、
前記宅外ネットワークを介して、前記第３の記憶部に記憶された前記放送番組をペアリングした前記端末装置に配信する配信部と、を有し、
前記端末装置は、さらに、
前記機器から配信された前記放送番組を再生する再生部と、
再生された前記放送番組を表示する表示部と、を有する
請求項３又は４に記載の処理実行システム。
【請求項６】
前記処理部は、前記第２の処理として、前記機器に対して、前記第３の記憶部に記憶された前記放送番組を前記端末装置に転送させる
請求項５に記載の処理実行システム。
【請求項７】
前記端末装置は、さらに、ＧＰＳ（Ｇｌｏｂａｌ  Ｐｏｓｉｔｉｏｎｉｎｇ  Ｓｙｓｔｅｍ）により前記現在位置情報を取得する取得部を有する
請求項１〜６のいずれか１項に記載の処理実行システム。
【請求項８】
宅外ネットワークを介して端末装置と通信するサーバであって、
前記宅外ネットワークを介して前記端末装置から送信された、前記端末装置の現在位置に関する現在位置情報を受信する受信部と、
宅内ネットワークを介して前記端末装置と機器との間で第１の処理が実行された際に受信した前記現在位置情報を、宅内位置情報として記憶する第１の記憶部と、
前記宅内位置情報と、前記宅内位置情報を記憶した後に受信した前記現在位置情報との比較に基づいて、前記端末装置が前記機器に近付いたか否かを判定する判定部と、
前記端末装置が前記機器に近付いたと判定された際に、前記宅内ネットワークを介して前記端末装置と前記機器との間で第２の処理を実行させるための指示を、前記端末装置に通知する通知部と、を備える
サーバ。
【請求項９】
宅外ネットワークを介してサーバと通信し、且つ、宅内ネットワークを介して機器と通信する端末装置であって、
前記宅内ネットワークを介して、前記機器との間で第１の処理を実行する処理部と、
前記宅外ネットワークを介して、前記端末装置の現在位置に関する現在位置情報を前記サーバに送信する送信部と、を備え、
前記サーバにおいて、前記第１の処理が実行された際に送信した前記現在位置情報である宅内位置情報と、前記宅内位置情報の送信後に送信した前記現在位置情報との比較に基づいて、前記端末装置が前記機器に近付いたと判定された際に、前記処理部は、前記サーバから通知された指示に基づいて、前記宅内ネットワークを介して、前記機器との間で第２の処理を実行する
端末装置。
【請求項１０】
端末装置と、宅外ネットワークを介して前記端末装置と通信するサーバと、宅内ネットワークを介して前記端末装置と通信する機器と、を備える処理実行システムにおける処理実行方法であって、
前記宅内ネットワークを介して、前記端末装置と前記機器との間で第１の処理を実行するステップと、
前記宅外ネットワークを介して、前記端末装置の現在位置に関する現在位置情報を前記端末装置から前記サーバに送信するステップと、
前記第１の処理が実行された際に前記サーバが受信した前記現在位置情報を、宅内位置情報として前記サーバの第１の記憶部に記憶するステップと、
前記宅内位置情報と、前記宅内位置情報を記憶した後に前記サーバが受信した前記現在位置情報との比較に基づいて、前記端末装置が前記機器に近付いたか否かを判定するステップと、
前記端末装置が前記機器に近付いたと判定された際に、前記サーバから前記端末装置に指示を通知するステップと、
前記指示に基づいて、前記宅内ネットワークを介して、前記端末装置と前記機器との間で第２の処理を実行するステップと、を含む
処理実行方法。
【発明の詳細な説明】
【技術分野】
【０００１】
本開示は、処理実行システム、サーバ、端末装置及び処理実行方法に関する。
【背景技術】
【０００２】
録画再生機器で録画した放送番組を、スマートフォン等の端末装置に配信する配信システムが知られている（例えば、特許文献１参照）。従来の配信システムでは、ユーザは、端末装置を手動で操作することにより、宅内ネットワークを介して端末装置と録画再生機器とを予めペアリングしておく。ペアリングの有効期間（例えば、３ヶ月）が経過するまでの間、録画再生機器からペアリング相手の端末装置に放送番組を配信することができ、ユーザは端末装置で配信された放送番組を視聴することができる。
【０００３】
ペアリングの有効期間が経過した場合には、録画再生機器からペアリング相手の端末装置に放送番組を配信することができなくなる。そのため、ユーザは、ペアリングの有効期間が経過する前に、端末装置を手動で操作して端末装置と録画再生機器との間におけるペアリングを再度実行することにより、ペアリングの有効期間を更新する必要がある。
【先行技術文献】
【特許文献】
【０００４】
【特許文献１】特開２００６−３０１８７７号公報
【発明の概要】
【発明が解決しようとする課題】
【０００５】
本開示は、端末装置と機器との間における処理を実行する際の利便性を高めることができる処理実行システム、サーバ、端末装置及び処理実行方法を提供する。
【課題を解決するための手段】
【０００６】
本開示における処理実行システムは、端末装置と、宅外ネットワークを介して端末装置と通信するサーバと、宅内ネットワークを介して端末装置と通信する機器と、を備える処理実行システムであって、端末装置は、宅内ネットワークを介して、機器との間で第１の処理を実行する処理部と、宅外ネットワークを介して、端末装置の現在位置に関する現在位置情報をサーバに送信する送信部と、を有し、サーバは、端末装置から送信された現在位置情報を受信する受信部と、第１の処理が実行された際に受信した現在位置情報を、宅内位置情報として記憶する第１の記憶部と、宅内位置情報と、宅内位置情報を記憶した後に受信した現在位置情報との比較に基づいて、端末装置が機器に近付いたか否かを判定する判定部と、端末装置が機器に近付いたと判定された際に、端末装置に指示を通知する通知部と、を有し、端末装置の処理部は、サーバから通知された指示に基づいて、宅内ネットワークを介して、機器との間で第２の処理を実行する。
【発明の効果】
【０００７】
本開示における処理実行システムによれば、端末装置と機器との間における処理（第２の処理）を実行する際の利便性を高めることができる。
【図面の簡単な説明】
【０００８】
【図１】実施の形態１（及び２）に係る処理実行システムの全体構成を示す概念図である。
【図２】実施の形態１に係る端末装置の機能構成を示すブロック図である。
【図３】実施の形態１に係る管理サーバの機能構成を示すブロック図である。
【図４】実施の形態１に係る録画再生機器の機能構成を示すブロック図である。
【図５】実施の形態１に係る処理実行システムの第１の処理の実行時における動作の流れを示す概念図である。
【図６】実施の形態１に係る処理実行システムの第１の処理の実行時における動作の流れを示すシーケンス図である。
【図７】実施の形態１に係る処理実行システムの第２の処理の実行時における動作の流れを示す概念図である。
【図８】実施の形態１に係る処理実行システムの第２の処理の実行時における動作の流れを示すシーケンス図である。
【図９】実施の形態２に係る処理実行システムの第２の処理の実行時における動作の流れを示すシーケンス図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を十分に理解するために添付図面及び以下の説明を提供するのであって、これらによって特許請求の範囲に記載の主題を限定することを意図するものではない。
【００１１】
（実施の形態１）
以下、図１〜図８を参照しながら、実施の形態１について説明する。
【００１２】
［１−１．処理実行システムの全体構成］
まず、図１を参照しながら、実施の形態１に係る処理実行システム２の全体構成について説明する。図１は、実施の形態１に係る処理実行システム２の全体構成を示す概念図である。
【００１３】
図１に示すように、処理実行システム２は、端末装置４、録画再生機器６（機器の一例）、管理サーバ８（サーバの一例）及び配信サーバ１０を備えている。
【００１４】
端末装置４は、ユーザによって携帯される携帯端末装置であり、例えばスマートフォン又はタブレット端末等である。端末装置４は、宅外ネットワーク１２を介して管理サーバ８及び配信サーバ１０と通信可能である。また、端末装置４は、宅内（例えば、ユーザの住宅１４内）で使用される場合には、宅内ネットワーク１６を介して録画再生機器６とも通信可能である。
【００１５】
宅外ネットワーク１２と宅内ネットワーク１６とは、例えばルータ１８を介して相互に接続されている。
【００１６】
なお、宅内ネットワーク１６とは、宅内に構築された情報通信網（ネットワーク）のことであり、例えば無線ＬＡＮ（Ｌｏｃａｌ  Ａｒｅａ  Ｎｅｔｗｏｒｋ）等によるＩＰ（Ｉｎｔｅｒｎｅｔ  Ｐｒｏｔｏｃｏｌ）ネットワークにより構成される。一方、宅外ネットワーク１２とは、宅外に構築された情報通信網のことであり、例えばインターネット等によるＩＰネットワークにより構成される。
【００１７】
ここで、「宅内」とは、ＩＰインターフェース出力において、送信パケットの宛先ＩＰアドレスが親機のＩＰアドレスと同一サブネットワーク内に限定される場合であって、例えば住宅１４内又は店舗内等を含む概念である。
【００１８】
録画再生機器６は、放送番組を受信、録画及び再生するための機器であり、例えばＢＤ（Ｂｌｕ−ｒａｙ（登録商標）  Ｄｉｓｋ）レコーダ、ＤＶＤ（Ｄｉｇｉｔａｌ  Ｖｅｒｓａｔｉｌｅ  Ｄｉｓｋ）レコーダ又はＨＤＤ（Ｈａｒｄ  Ｄｉｓｋ  Ｄｒｉｖｅ）レコーダ等である。録画再生機器６は、宅内に設置されており、宅外ネットワーク１２を介して配信サーバ１０と通信可能である。なお、録画再生機器６は、宅内に設置されたテレビジョン受像機２０と通信ケーブルを介して接続されている。
【００１９】
管理サーバ８は、端末装置４と録画再生機器６との間のペアリング（後述する）等を管理するためのサーバであり、例えば宅外に設置されたクラウドサーバである。
【００２０】
配信サーバ１０は、宅外ネットワーク１２を介して、録画再生機器６で録画（又は受信）した放送番組を端末装置４に配信するためのサーバであり、例えば宅外に設置されたクラウドサーバである。
【００２１】
上述した処理実行システム２では、ユーザは、端末装置４を操作することにより、録画再生機器６から配信サーバ１０を介して配信された放送番組を例えば宅外で視聴することができる。
【００２２】
［１−２．端末装置の機能構成］
次に、図２を参照しながら、端末装置４の機能構成について説明する。図２は、実施の形態１に係る端末装置４の機能構成を示すブロック図である。
【００２３】
図２に示すように、端末装置４は、受信部２２と、記憶部２４（第２の記憶部の一例）と、処理部２６と、取得部２８と、送信部３０と、再生部３２と、表示部３４とを有している。
【００２４】
受信部２２は、宅外ネットワーク１２を介して、管理サーバ８から通知された指示（後述する）を受信する。また、受信部２２は、宅外ネットワーク１２を介して、録画再生機器６から配信された放送番組を受信する。
【００２５】
記憶部２４は、処理実行システム２に用いられるアプリケーションを記憶する。このアプリケーションは、録画再生機器６から配信された放送番組を端末装置４で視聴するための各種処理を実行するためのプログラムである。また、記憶部２４は、受信部２２により受信した放送番組を記憶する。
【００２６】
処理部２６は、受信部２２により受信した指示に基づいてアプリケーションをバックグラウンドで起動させることにより、宅内ネットワーク１６を介して、端末装置４と録画再生機器６との間でペアリング（第２の処理）を実行する。ここで、ペアリングとは、端末装置４と録画再生機器６とを対応付ける処理である。
【００２７】
なお、ペアリングには有効期間（例えば、３カ月）が設定されており、ペアリングの有効期間が経過するまでの間、録画再生機器６からペアリング相手の端末装置４に放送番組を配信することができる。一方、ペアリングの有効期間が経過した場合には、録画再生機器６からペアリング相手の端末装置４に放送番組を配信することができなくなる。
【００２８】
取得部２８は、ＧＰＳ（Ｇｌｏｂａｌ  Ｐｏｓｉｔｉｏｎｉｎｇ  Ｓｙｓｔｅｍ）衛星から発信されたＧＰＳ信号に基づいて端末装置４の現在位置（例えば、緯度及び経度）を算出し、端末装置４の現在位置に関する現在位置情報（例えば、経度緯度情報）を取得する。
【００２９】
送信部３０は、宅外ネットワーク１２を介して、取得部２８により取得された現在位置情報を、端末装置４のＩＤデータ及びペアリング相手の録画再生機器６のＩＤデータとともに管理サーバ８に逐次送信する。なお、端末装置４及び録画再生機器６の各ＩＤデータは、例えばＭＡＣ（Ｍｅｄｉａ  Ａｃｃｅｓｓ  Ｃｏｎｔｒｏｌ）アドレス等で構成される。送信部３０は、例えば所定時間毎に現在位置情報を送信してもよく、あるいは、端末装置４が所定距離だけ移動する毎に現在位置情報を送信してもよい。また、送信部３０は、後述するように、端末装置４と録画再生機器６との間でペアリング（第１の処理）が実行された際にも、現在位置情報を管理サーバ８に送信する。
【００３０】
再生部３２は、記憶部２４に記憶された放送番組を再生する。
【００３１】
表示部３４は、例えばタッチパネル式の液晶表示パネルであり、再生部３２により再生された放送番組を表示する。
【００３２】
［１−３．管理サーバの機能構成］
次に、図３を参照しながら、管理サーバ８の機能構成について説明する。図３は、実施の形態１に係る管理サーバ８の機能構成を示すブロック図である。
【００３３】
図３に示すように、管理サーバ８は、受信部３６と、記憶部３８（第１の記憶部の一例）と、判定部４０と、通知部４２とを有している。
【００３４】
受信部３６は、宅外ネットワーク１２を介して、端末装置４から逐次送信された現在位置情報、端末装置４のＩＤデータ及び録画再生機器６のＩＤデータを受信する。
【００３５】
記憶部３８は、端末装置４と録画再生機器６との間でペアリング（第１の処理）が実行された際に受信した端末装置４の現在位置情報を宅内位置情報として、端末装置４のＩＤデータ及び録画再生機器６のＩＤデータとともに記憶する。すなわち、宅内位置情報は、端末装置４が宅内で使用される場合における、端末装置４の現在位置に関する現在位置情報である。
【００３６】
判定部４０は、記憶部３８に記憶された宅内位置情報と、宅内位置情報が記憶された後に（宅内位置情報が端末装置４から送信された後に）受信部３６が逐次受信した現在位置情報との比較に基づいて、端末装置４が録画再生機器６に近付いたか否かを判定する。具体的には、例えば宅内位置情報が示す位置と現在位置情報が示す位置との距離が約１０ｍに縮まった際に、判定部４０は、端末装置４が録画再生機器６に近付いたと判定する。
【００３７】
通知部４２は、端末装置４が録画再生機器６に近付いたと判定された際に、宅外ネットワーク１２を介して、端末装置４に指示を通知（送信）する。この指示は、端末装置４の処理部２６にアプリケーションをバックグラウンドで起動させるための（すなわち、端末装置４と録画再生機器６との間で、第２の処理としてのペアリングを実行させるための）指示である。
【００３８】
［１−４．録画再生機器の機能構成］
次に、図４を参照しながら、録画再生機器６の機能構成について説明する。図４は、実施の形態１に係る録画再生機器６の機能構成を示すブロック図である。
【００３９】
図４に示すように、録画再生機器６は、チューナ４４と、録画部４６と、記憶部４８（第３の記憶部の一例）と、再生部５０と、配信部５２と、転送部５４と、処理部５６とを有している。
【００４０】
チューナ４４は、地上デジタル放送又は衛星放送により放送される放送番組を受信する。
【００４１】
録画部４６は、チューナ４４で受信した放送番組を録画する。
【００４２】
記憶部４８は、録画部４６で録画した放送番組を記憶する。記憶部４８は、例えば録画再生機器６に内蔵されたハードディスクドライブ等である。
【００４３】
再生部５０は、録画部４６で録画した放送番組を再生する。具体的には、再生部５０は、記憶部４８から放送番組を読み出し、読み出した放送番組をテレビジョン受像機２０に出力する。
【００４４】
配信部５２は、宅外ネットワーク１２（配信サーバ１０）を介して、記憶部４８に記憶された放送番組をペアリング相手の端末装置４に配信する。
【００４５】
転送部５４は、宅内ネットワーク１６を介して、記憶部４８に記憶された放送番組をペアリング相手の端末装置４に転送する。
【００４６】
処理部５６は、宅内ネットワーク１６を介して、端末装置４と録画再生機器６との間でペアリングを実行する。
【００４７】
［１−５．処理実行システムの動作］
［１−５−１．第１の処理の実行時における動作］
次に、図５及び図６を参照しながら、処理実行システム２の第１の処理の実行時における動作について説明する。
【００４８】
図５は、実施の形態１に係る処理実行システム２の第１の処理の実行時における動作の流れを示す概念図である。図６は、実施の形態１に係る処理実行システム２の第１の処理の実行時における動作の流れを示すシーケンス図である。なお、説明の都合上、図５では、配信サーバ１０の図示を省略してある。
【００４９】
図５及び図６に示すように、まず、ユーザは、宅内で端末装置４を操作することにより、宅内ネットワーク１６を介して、端末装置４と録画再生機器６との間でペアリング（第１の処理）を実行する（Ｓ１１、Ｓ１２）。このとき、第１の処理としてのペアリングは、端末装置４と録画再生機器６との間で、例えば録画再生機器６の購入後に初めて実行される処理である。
【００５０】
その後、端末装置４の取得部２８は、ＧＰＳ信号に基づいて、ペアリングが実行された際の現在位置情報を取得する（Ｓ１３）。ここで、取得部２８により取得される現在位置情報は、例えば宅内において録画再生機器６から約１〜３ｍ離れた位置を示す情報である。その後、端末装置４の送信部３０は、宅外ネットワーク１２を介して、取得部２８により取得された現在位置情報を、端末装置４のＩＤデータ及び録画再生機器６のＩＤデータとともに管理サーバ８に送信する（Ｓ１４）。
【００５１】
その後、管理サーバ８の受信部３６は、宅外ネットワーク１２を介して、端末装置４から送信された現在位置情報、端末装置４のＩＤデータ及び録画再生機器６のＩＤデータを受信する（Ｓ１５）。その後、管理サーバ８の記憶部３８は、受信した現在位置情報を宅内位置情報として、端末装置４のＩＤデータ及び録画再生機器６のＩＤデータとともに記憶する（Ｓ１６）。これにより、記憶部３８には、端末装置４のＩＤデータ及び録画再生機器６のＩＤデータの組み合わせ毎に、対応する１つの宅内位置情報が記憶される。
【００５２】
このように端末装置４と録画再生機器６との間でペアリングが実行されることにより、録画再生機器６の配信部５２は、ペアリングの有効期間が経過するまでの間、配信サーバ１０を介して、録画再生機器６で録画（又は受信）した放送番組をペアリング相手の端末装置４に配信する。これにより、ユーザは、端末装置４を操作してアプリケーションを起動させることにより、配信された放送番組を例えば宅外で視聴することができる。
【００５３】
［１−５−２．第２の処理の実行時における動作］
次に、図７及び図８を参照しながら、処理実行システム２の第２の処理の実行時における動作について説明する。
【００５４】
図７は、実施の形態１に係る処理実行システム２の第２の処理の実行時における動作の流れを示す概念図である。図８は、実施の形態１に係る処理実行システム２の第２の処理の実行時における動作の流れを示すシーケンス図である。なお、説明の都合上、図７では、配信サーバ１０の図示を省略してある。
【００５５】
図７及び図８に示すように、例えばユーザが端末装置４を携帯しながら宅外を移動している間、端末装置４の取得部２８は、ＧＰＳ信号に基づいて、現在位置情報を逐次取得する（Ｓ３１）。端末装置４の送信部３０は、宅外ネットワーク１２を介して、取得部２８により取得された現在位置情報を、端末装置４のＩＤデータ及び録画再生機器６のＩＤデータとともに管理サーバ８に逐次送信する（Ｓ３２）。
【００５６】
管理サーバ８の受信部３６は、宅外ネットワーク１２を介して、端末装置４から逐次送信された現在位置情報、端末装置４のＩＤデータ及び録画再生機器６のＩＤデータを受信する（Ｓ３３）。
【００５７】
管理サーバ８の判定部４０は、受信部３６が受信した端末装置４のＩＤデータ及び録画再生機器６のＩＤデータの組み合わせに対応する宅内位置情報を記憶部３８から読み出す。判定部４０は、読み出した宅内位置情報と、受信部３６が逐次受信した現在位置情報との比較に基づいて、端末装置４が録画再生機器６に近付いたか否かを判定する。このとき、例えばユーザが端末装置４を携帯しながら宅外から宅内に移動する（帰宅する）ことにより、宅内位置情報が示す位置と現在位置情報が示す位置との距離が約１０ｍに縮まった際に、判定部４０は、端末装置４が録画再生機器６に近付いたと判定する（Ｓ３４）。
【００５８】
管理サーバ８の通知部４２は、端末装置４が録画再生機器６に近付いたと判定された際に、宅外ネットワーク１２を介して、端末装置４に第２の処理を実行するアプリケーションを起動する指示を通知する（Ｓ３５）。端末装置４の受信部２２は、宅外ネットワーク１２を介して、管理サーバ８から通知された指示を受信する（Ｓ３６）。
【００５９】
端末装置４の処理部２６は、受信部２２で受信した指示に基づいて、ペアリング制御を実行するアプリケーションをバックグラウンドで起動させることにより（Ｓ３７）、宅内ネットワーク１６を介して、端末装置４と録画再生機器６との間でペアリング（第２の処理）を自動的に実行する（Ｓ３８、Ｓ３９）。
【００６０】
以上のように、例えばユーザが端末装置４を携帯しながら帰宅した際に、端末装置４と録画再生機器６との間でペアリング（第２の処理）が自動的に実行される。ペアリングの有効期間が経過する前に、端末装置４と録画再生機器６との間でペアリング（第２の処理）が再度自動的に実行されることにより、ペアリングの有効期間が更新される。
【００６１】
［１−６．効果］
上述したように、本実施の形態において、処理実行システム２は、端末装置４と、宅外ネットワーク１２を介して端末装置４と通信する管理サーバ８と、宅内ネットワーク１６を介して端末装置４と通信する録画再生機器６とを備える。端末装置４は、宅内ネットワーク１６を介して、録画再生機器６との間で第１の処理を実行する処理部２６と、宅外ネットワーク１２を介して、端末装置４の現在位置に関する現在位置情報を管理サーバ８に送信する送信部３０とを有する。管理サーバ８は、端末装置４から送信された現在位置情報を受信する受信部３６と、第１の処理が実行された際に受信した現在位置情報を、宅内位置情報として記憶する記憶部３８と、宅内位置情報と、宅内位置情報を記憶した後に受信した現在位置情報との比較に基づいて、端末装置４が録画再生機器６に近付いたか否かを判定する判定部４０と、端末装置４が録画再生機器６に近付いたと判定された際に、端末装置４に指示を通知する通知部４２とを有する。端末装置４の処理部２６は、管理サーバ８から通知された指示に基づいて、宅内ネットワーク１６を介して、録画再生機器６との間で第２の処理を実行する。
【００６２】
これにより、端末装置４が録画再生機器６に近付いたと判定された際に、端末装置４と録画再生機器６との間で第２の処理を自動的に実行することができる。その結果、ユーザは、第２の処理を実行するための操作を手動で行う必要が無いため、端末装置４と録画再生機器６との間における第２の処理を実行する際の利便性を高めることができる。
【００６３】
また、本実施の形態において、端末装置４は、さらに、宅内ネットワーク１６を介して、録画再生機器６との間で第２の処理を実行するためのアプリケーションを記憶する記憶部２４を有する。処理部２６は、管理サーバ８から通知された指示に基づいて、アプリケーションを起動させる。
【００６４】
これにより、管理サーバ８から通知された指示に基づいてアプリケーションを起動させることによって、端末装置４と録画再生機器６との間で第２の処理を自動的に実行することができる。
【００６５】
また、本実施の形態において、処理部２６は、第１の処理として、録画再生機器６と端末装置４とをペアリングさせる。
【００６６】
これにより、端末装置４と録画再生機器６とをペアリングさせた際に管理サーバ８により受信された現在位置情報を、宅内位置情報として管理サーバ８に記憶させることができる。
【００６７】
また、本実施の形態において、処理部２６は、第２の処理として、録画再生機器６と端末装置４とをペアリングさせる。
【００６８】
これにより、端末装置４が録画再生機器６に近付いたと判定された際に、端末装置４と録画再生機器６とを自動的にペアリングさせることができる。
【００６９】
また、本実施の形態において、録画再生機器６は、さらに、放送番組を録画する録画部４６と、録画された放送番組を記憶する記憶部４８と、宅外ネットワーク１２を介して、記憶部４８に記憶された放送番組をペアリングした端末装置４に配信する配信部５２とを有する。端末装置４は、さらに、録画再生機器６から配信された放送番組を再生する再生部３２と、再生された放送番組を表示する表示部３４とを有する。
【００７０】
これにより、ユーザは、例えば端末装置４に配信された放送番組を宅外で視聴することができる。
【００７１】
また、本実施の形態において、端末装置４は、さらに、ＧＰＳにより現在位置情報を取得する取得部２８を有する。
【００７２】
これにより、端末装置４の正確な現在位置を示す現在位置情報を取得することができる。
【００７３】
また、本実施の形態において、管理サーバ８は、宅外ネットワーク１２を介して端末装置４と通信するサーバである。管理サーバ８は、宅外ネットワーク１２を介して端末装置４から送信された、端末装置４の現在位置に関する現在位置情報を受信する受信部３６と、宅内ネットワーク１６を介して端末装置４と録画再生機器６との間で第１の処理が実行された際に受信した現在位置情報を、宅内位置情報として記憶する記憶部３８と、宅内位置情報と、宅内位置情報を記憶した後に受信した現在位置情報との比較に基づいて、端末装置４が録画再生機器６に近付いたか否かを判定する判定部４０と、端末装置４が録画再生機器６に近付いたと判定された際に、宅内ネットワーク１６を介して端末装置４と録画再生機器６との間で第２の処理を実行させるための指示を、端末装置４に通知する通知部４２とを備える。
【００７４】
これにより、端末装置４が録画再生機器６に近付いたと判定された際に、端末装置４と録画再生機器６との間で第２の処理を自動的に実行することができる。その結果、ユーザは、第２の処理を実行するための操作を手動で行う必要が無いため、端末装置４と録画再生機器６との間における第２の処理を実行する際の利便性を高めることができる。
【００７５】
また、本実施の形態において、端末装置４は、宅外ネットワーク１２を介して管理サーバ８と通信し、且つ、宅内ネットワーク１６を介して録画再生機器６と通信する。端末装置４は、宅内ネットワーク１６を介して、録画再生機器６との間で第１の処理を実行する処理部２６と、宅外ネットワーク１２を介して、端末装置４の現在位置に関する現在位置情報を管理サーバ８に送信する送信部３０とを備える。管理サーバ８において、第１の処理が実行された際に送信した現在位置情報である宅内位置情報と、宅内位置情報の送信後に送信した現在位置情報との比較に基づいて、端末装置４が録画再生機器６に近付いたと判定された際に、処理部２６は、管理サーバ８から通知された指示に基づいて、宅内ネットワーク１６を介して、録画再生機器６との間で第２の処理を実行する。
【００７６】
これにより、端末装置４が録画再生機器６に近付いたと判定された際に、端末装置４と録画再生機器６との間で第２の処理を自動的に実行することができる。その結果、ユーザは、第２の処理を実行するための操作を手動で行う必要が無いため、端末装置４と録画再生機器６との間における第２の処理を実行する際の利便性を高めることができる。
【００７７】
また、本実施の形態において、処理実行方法は、端末装置４と、宅外ネットワーク１２を介して端末装置４と通信する管理サーバ８と、宅内ネットワーク１６を介して端末装置４と通信する録画再生機器６とを備える処理実行システム２における処理実行方法である。処理実行方法は、宅内ネットワーク１６を介して、端末装置４と録画再生機器６との間で第１の処理を実行するステップと、宅外ネットワーク１２を介して、端末装置４の現在位置に関する現在位置情報を端末装置４から管理サーバ８に送信するステップと、第１の処理が実行された際に管理サーバ８が受信した現在位置情報を、宅内位置情報として管理サーバ８の記憶部３８に記憶するステップと、宅内位置情報と、宅内位置情報を記憶した後に管理サーバ８が受信した現在位置情報との比較に基づいて、端末装置４が録画再生機器６に近付いたか否かを判定するステップと、端末装置４が録画再生機器６に近付いたと判定された際に、管理サーバ８から端末装置４に指示を通知するステップと、指示に基づいて、宅内ネットワーク１６を介して、端末装置４と録画再生機器６との間で第２の処理を実行するステップとを含む。
【００７８】
これにより、端末装置４が録画再生機器６に近付いたと判定された際に、端末装置４と録画再生機器６との間で第２の処理を自動的に実行することができる。その結果、ユーザは、第２の処理を実行するための操作を手動で行う必要が無いため、端末装置４と録画再生機器６との間における第２の処理を実行する際の利便性を高めることができる。
【００７９】
（実施の形態２）
次に、図９を参照しながら、実施の形態２について説明する。
【００８０】
［２−１．処理実行システムの動作］
図９を参照しながら、実施の形態２に係る処理実行システム２Ａ（図１参照）の第２の処理の実行時における動作について説明する。図９は、実施の形態２に係る処理実行システム２Ａの第２の処理の実行時における動作の流れを示すシーケンス図である。なお、本実施の形態では、上記実施の形態１と同一の構成要素には同一の符号を付して、その説明を省略する。
【００８１】
本実施の形態に係る処理実行システム２Ａでは、端末装置４と録画再生機器６との間で実行される第２の処理の内容が上記実施の形態１と異なっている。図９に示すように、本実施の形態に係る処理実行システム２Ａでは、まず、ステップＳ５１〜Ｓ５４が実行される。ステップＳ５１〜Ｓ５４はそれぞれ、上記実施の形態１で説明した図８のステップＳ３１〜Ｓ３４と同一であるため、各ステップの説明は省略する。
【００８２】
以下、ステップＳ５５以降の各ステップについて説明する。管理サーバ８の通知部４２は、端末装置４が録画再生機器６に近付いたと判定された際に、宅外ネットワーク１２を介して、端末装置４に第２の処理（放送番組の転送）を実行するアプリケーションを起動する指示を通知する（Ｓ５５）。端末装置４の受信部２２は、宅外ネットワーク１２を介して、管理サーバ８から通知された指示を受信する（Ｓ５６）。
【００８３】
端末装置４の処理部２６は、受信部２２で受信した指示に基づいて、放送番組の転送制御を実行するアプリケーションをバックグラウンドで起動させる（Ｓ５７）。端末装置４の処理部２６は、録画再生機器６に対して、宅内ネットワーク１６を介して、記憶部４８に記憶された放送番組の転送を要求する（Ｓ５８）。録画再生機器６の転送部５４は、端末装置４からの要求に基づいて、宅内ネットワーク１６を介して、記憶部４８に記憶された放送番組を転送する（第２の処理）（Ｓ５９）。端末装置４の受信部２２は、録画再生機器６から転送された放送番組を受信し、記憶部２４に記憶させる（Ｓ６０）。
【００８４】
以上のように、例えばユーザが端末装置４を携帯しながら帰宅した際に、録画再生機器６で録画した放送番組が端末装置４に自動的に転送される。なお、転送する放送番組の種類は、予めユーザによって選択されるようにしてもよい。
【００８５】
［２−２．効果］
本実施の形態において、処理部２６は、第２の処理として、録画再生機器６に対して、記憶部４８に記憶された放送番組を端末装置４に転送させる。
【００８６】
これにより、端末装置４が録画再生機器６に近付いたと判定された際に、録画再生機器６から端末装置４への放送番組の転送を自動的に実行することができる。その結果、ユーザは、転送された放送番組を例えば宅外で視聴することができる。
【００８７】
（変形例等）
以上のように、本開示における技術の例示として、実施の形態を説明した。そのために、添付図面及び詳細な説明を提供した。
【００８８】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８９】
また、上述の実施の形態は、本開示における技術を例示するためのものであるから、特許請求の範囲又はその均等の範囲において種々の変更、置き換え、付加、省略などを行うことができる。
【００９０】
例えば、上記各実施の形態では、処理部２６は、第１の処理として、録画再生機器６と端末装置４とをペアリングさせたが、これに限定されず、第１の処理として種々の処理を実行してもよい。
【００９１】
例えば、上記各実施の形態では、処理部２６は、第２の処理として、録画再生機器６と端末装置４とをペアリング（又は、録画再生機器６から端末装置４へ放送番組を転送）させたが、これに限定されず、第２の処理として種々の処理を実行してもよい。
【００９２】
例えば、上記各実施の形態では、機器を録画再生機器６で構成したが、これに限定されず、例えば音響機器、空調機器又は調理機器等の種々の機器で構成してもよい。
【産業上の利用可能性】
【００９３】
本開示は、端末装置、サーバ及び機器を備えた処理実行システム等に適用可能である。
【符号の説明】
【００９４】
２，２Ａ  処理実行システム
４  端末装置
６  録画再生機器
８  管理サーバ
１０  配信サーバ
１２  宅外ネットワーク
１４  住宅
１６  宅内ネットワーク
１８  ルータ
２０  テレビジョン受像機
２２  受信部
２４，３８，４８  記憶部
２６  処理部
２８  取得部
３０  送信部
３２，５０  再生部
３４  表示部
３６  受信部
４０  判定部
４２  通知部
４４  チューナ
４６  録画部
５２  配信部
５４  転送部
５６  処理部
【図１】
2018063549.tif 000003
【図２】
2018063549.tif 000004
【図３】
2018063549.tif 000005
【図４】
2018063549.tif 000006
【図５】
2018063549.tif 000007
【図６】
2018063549.tif 000008
【図７】
2018063549.tif 000009
【図８】
2018063549.tif 000010
【図９】
2018063549.tif 000011